(57)【要約】通信システムは、ＩＰベースの電話制御ネットワークと公衆データネットワークとの間にインターフェースを提供し上記サブシステムは、公衆データネットワーク上のデバイスを電話ネットワークに登録するために用いられ、電話ネットワークを介したデバイスからの通信セッションの受信および／または開始を可能にする。上記サブシステムは、Ｐ−ＣＳＣＦ機能をエミュレートし、公衆インターネット上のデバイス、例えば、ボイス・オーバーＩＰデバイスを、ＩＭＳまたはＭＭＤセル式電話インフラストラクチャに結合し得る。
2008530859.tif 000002
【特許請求の範囲】
【請求項１】
通信システムであって、
ＩＰベースの電話制御ネットワークと公衆データネットワークとの間にインターフェースを提供するサブシステムであって、該サブシステムは、該公衆データネットワークにおける加入者のデバイスを該電話ネットワークに登録するために、かつ該電話ネットワークを介する該デバイスからの通信セッションを受信および／または開始することを可能にするために用いられる、サブシステム
を備える、通信システム。
【請求項２】
前記電話制御ネットワークは、セル式電話システムに対する制御ネットワークを含む、請求項１に記載のシステム。
【請求項３】
前記電話制御ネットワークは、ＩＭＳまたはＭＭＤインフラストラクチャを含む、請求項１に記載のシステム。
【請求項４】
前記サブシステムは、Ｐ−ＣＳＣＦをエミュレートするコンポーネントを含む、請求項３に記載のシステム。
【請求項５】
前記通信セッションは、ＶｏＩＰ電話セッションを含む、請求項１に記載のシステム。
【請求項６】
前記公衆データネットワークは、公衆インターネットを含む、請求項１に記載のシステム。
【請求項７】
前記公衆データネットワークは、無線ローカルエリアネットワークを含む、請求項１に記載のシステム。
【請求項８】
前記サブシステムは、前記公衆データネットワークおよび前記電話制御ネットワークにおいて用いられる通信プロトコルの間に適合性を提供する、請求項１に記載のシステム。
【請求項９】
前記サブシステムは、ＩＥＴＦプロトコルとＩＭＳプロトコルとの間に適合性を提供する、請求項８に記載のシステム。
【請求項１０】
前記サブシステムは、ＩＥＴＦプロトコルとＩＭＳ  ＳＩＰプロトコルとの間に適合性を提供する、請求項９に記載のシステム。
【請求項１１】
電話サービスを提供するための方法であって、
公衆データネットワーク上のデバイスに対し、電話ネットワークにおけるプレゼンスを維持することと、
該電話ネットワークを介することにより、加入者に向けられたコールを該公衆データネットワーク上の該デバイスに送達することと
を包含する、方法。
【請求項１２】
前記電話ネットワークは、無線電話ネットワークを含む、請求項１１に記載の方法。
【請求項１３】
前記電話ネットワークは、パケット交換式制御インフラストラクチャを含む、請求項１１に記載の方法。
【請求項１４】
前記電話ネットワークは、ＩＰベースの制御インフラストラクチャを含む、請求項１１に記載の方法。
【請求項１５】
前記電話ネットワークは、ＩＭＳまたはＭＭＤインフラストラクチャを含む、請求項１１に記載の方法。
【請求項１６】
前記公衆データネットワークは、パケット交換式ネットワークを含む、請求項１１に記載の方法。
【請求項１７】
前記パケット交換式ネットワークは、公衆インターネットを含む、請求項１６に記載の方法。
【請求項１８】
前記パケット交換式ネットワークは、無線ローカルエリアネットワークを含む、請求項１６に記載の方法。
【請求項１９】
通信するための方法であって、
ＩＭＳまたはＭＭＤフレームワークを介することにより、公衆データネットワークに存在する加入者のデバイスへのＩＰベースの接続を提供すること
を包含する、方法。
【請求項２０】
前記加入者のデバイスへの前記ＩＰベースの接続を提供することは、ＶｏＩＰ接続を提供することを含む、請求項１９に記載の方法。
【請求項２１】
前記ＩＭＳまたはＭＭＤフレームワークのエッジ機能をエミュレートすることをさらに含む、請求項１９に記載の方法。
【請求項２２】
エッジデバイスをエミュレートすることは、Ｐ−ＣＳＣＦ機能をエミュレートすることを含む、請求項２１に記載の方法。
【請求項２３】
通信システムであって、
無線電話ネットワークにおいて行なわれるコールのパケットベースの電話通信を可能にするサブシステムであって、該サブシステムは、
（ａ）回路ベースの電話接続を完成させるために用いられる、該電話ネットワークのコンポーネントに対するインターフェースと、
（ｂ）データネットワークベースのサービスを提供するために用いられる、該電話ネットワークのコンポーネントに対するインターフェースと、
（ｃ）公衆データネットワークに対するインターフェースと
を備える、通信システム。
【請求項２４】
通信するための方法であって、
データサービスを送達するように構成された電話ネットワークにおけるサービスを提供することであって、該サービスは、
無線ネットワークにおけるエンドデバイスの第１のセットを決定することと、
ワイヤラインネットワークにおけるエンドデバイスの第２のセットを決定することと、
該エンドデバイスの第１のセットと該エンドデバイスの第２のセットとを関連付けることと、
１つの関連するデバイスに対するコールを受信することと、
該コールをすべての関連するデバイスに通知することと
を可能にする、方法。
【請求項２５】
前記電話ネットワークは、ＩＭＳまたはＭＭＤネットワークにおいてデータサービスを送達するように構成される、請求項２４に記載の方法。
【発明の詳細な説明】
【技術分野】
【０００１】
（関連出願の引用）
本出願は、２００５年２月４日に出願された、米国仮特許出願第６０／６４９，９３９号の利益を主張し、上記仮特許出願は、参照により援用される。
【０００２】
本出願はまた、２００３年６月１６日に出願され、「Ｃｉｒｃｕｉｔ  Ｓｗｉｔｃｈｅｄ  Ｃｅｌｌｕｌａｒ  Ｎｅｔｗｏｒｋ  ｔｏ  Ｉｎｔｅｒｎｅｔ  Ｃａｌｌｉｎｇ  ｗｉｔｈ  Ｉｎｔｅｒｎｅｔ  Ａｎｔｅｎｎａｓ」と題された、米国特許出願第１０／４６３，１１１号、２００５年７月１８日に出願され、米国特許出願公開第２００３／０２２４７９５  Ａ１号として公開された、「Ｈａｎｄｏｆｆ  ｆｏｒ  Ｃｅｌｌｕｌａｒ  ａｎｄ  Ｉｎｔｅｒｎｅｔ  Ｐｒｏｔｏｃｏｌ  Ｔｅｌｅｐｈｏｎｙ」と題された、米国特許出願第１１／１８３，５３４号、ならびに２００５年７月１８日に出願され、「Ｐｒｅｓｅｎｃｅ  Ｄｅｔｅｃｔｉｏｎ  ａｎｄ  Ｈａｎｄｏｆｆ  ｆｏｒ  Ｃｅｌｌｕｌａｒ  ａｎｄ  Ｉｎｔｅｒｎｅｔ  Ｐｒｏｔｏｃｏｌ  Ｔｅｌｅｐｈｏｎｙ」と題された、国際出願ＰＣＴ／ＵＳ２００５／０２５３５３号にも関連し、これら出願は、参照により、本明細書に援用される。
【０００３】
本発明は、電話システムに関する。
【背景技術】
【０００４】
ＩＰマルチメディアサブシステム（ＩＭＳ）は、例えば、セル式電話ネットワークを介して、ＩＰベースのサービスを送達するためのアプローチを提供する。図１を参照すると、ＩＭＳネットワーク１００は、加入者が代表的なユーザデバイス１１０（例えば、データ能力を有するモバイル電話）からＩＭＳサービスにアクセスすることを可能にする多数の機能をインプリメントする。ユーザデバイスは、セル式データアクセスネットワーク１２０（例えば、ＣＤＭＡ２０００またはＧＰＲＳベースのアクセスネットワーク）を介して、ＩＭＳ機能およびサービスにアクセスする。加入者は、ＩＭＳネットワーク内で、ネットワークのコール状態制御機能（ＣＳＣＦ；Ｃａｌｌ  Ｓｔａｔｅ  Ｃｏｎｔｒｏｌ  Ｆｕｎｃｔｉｏｎ）１３０を用いることにより、サービスにアクセスする。例えば、加入者がセル式ネットワークに入るとき、加入者は、ＣＳＣＦに登録する。ＣＳＣＦは、ホーム加入者サーバ（ＨＳＳ；Ｈｏｍｅ  Ｓｕｂｓｃｒｉｂｅｒ  Ｓｅｒｖｅｒ）１５０にクエリする。上記ＨＳＳは、加入者に利用可能なサービスを識別する情報を含んだＩＭＳデータ１５２を含んでいる。ＣＳＣＦが、加入者に利用可能なサービスを識別する情報をＨＳＳから受信すると、ＣＳＣＦは、複数の個別のアプリケーション１４２を含むＩＭＳサービス１４０と通信する。アプリケーションは、セル式データネットワーク１２０を介して加入者のデバイス１１０と通信し、ＨＳＳと通信して、加入者に関連するアプリケーション特有のデータにアクセスする。アプリケーションは、外部ネットワーク（例えば、ＩＰネットワーク１８０）であり得る。
【０００５】
ＣＳＣＦ１３０の機能は、プロキシＣＳＣＦ機能（Ｐ−ＣＳＣＦ；Ｐｒｏｘｙ  ＣＳＣＦ  ｆｕｎｃｔｉｏｎ）１３６、呼掛けＣＳＣＦ機能（Ｉ−ＣＳＣＦ；Ｉｎｔｅｒｒｏｇａｔｉｎｇ  ＣＳＣＦ  ｆｕｎｃｔｉｏｎ）１３４、およびサービングＣＳＣＦ機能（Ｓ−ＣＳＣＦ；Ｓｅｒｖｉｎｇ  ＣＳＣＦ  ｆｕｎｃｔｉｏｎ）１３２に分配される。加入者が外国（例えば、別の国）のデータアクセスネットワークに入るとき、Ｉ−ＣＳＣＦおよびＳ−ＣＳＣＦと通信する追加的なＰ−ＣＳＣＦ機能１３６が存在し得る。他のデータアクセスネットワークと関連するＰ−ＣＳＣＦは、加入者に関連するＳ−ＣＳＣＦを用いて情報を制御するためのリンクを提供する。
【０００６】
回路交換式（ＣＳ）インターネットワーキング機能１６０は、メディアゲートウェイ１６４を提供し、公衆交換式電話ネットワークまたは公衆陸上モバイルネットワーク（ＰＳＴＮ／ＰＬＭＮ）１７０とセル式データアクセスネットワークとの間に、オーディオを通過させる。例えばＰＳＴＮ／ＰＬＭＮ  １７０に関連する信号伝達システム７（ＳＳ７）ネットワーク１７２から信号伝達される情報は、メディアゲートウェイ制御機能（ＭＧＣＦ）１６２を介し、セル式データアクセスネットワーク１２０に渡される。
【０００７】
ＩＭＳネットワークにおける制御情報は、例えば、ユーザデバイス１１０とＣＳＣＦ１３０との間で、ならびにＣＳＣＦ１３０、ＨＳＳ１５０、ＣＳインターネットワーキング機能１６０、およびＩＭＳサービス１４０の間で、セッション開始プロトコル（ＳＩＰ；Ｓｅｓｓｉｏｎ  Ｉｎｉｔａｔｉｏｎ  Ｐｒｏｔｏｃｏｌ）のバージョンを用いる。アプリケーション１４２とユーザデバイス１１０との間を通過する情報は、インターネットプロトコル（ＩＰ）ネットワークにレイヤするアプリケーション特有のプロトコルを用いることにより、一般にＳＩＰ制御のトラフィックと同じネットワークを用いる。
【０００８】
ＩＭＳに類似した他のアプローチもまた、提案されている。例えば、マルチメディアドメイン（ＭＭＤ）と呼ばれるアプローチが、ＣＤＭＡネットワークに対して提案されてきた。
【発明の開示】
【課題を解決するための手段】
【０００９】
（概要）
一局面において、一般に、通信システムは、ＩＰベースの電話制御ネットワークと公衆データネットワークとの間にインターフェースを提供するサブシステムを含み、上記サブシステムは、公衆データネットワーク上の加入者のデバイスを電話ネットワークに登録し、電話ネットワークを介するデバイスからの通信セッションを受信および／または開始することを可能にする。
【００１０】
局面は、以下の１つ以上を含み得る。
【００１１】
電話制御ネットワークは、セル式電話システムに対する制御ネットワークを含む。
【００１２】
電話制御ネットワークは、ＩＭＳまたはＭＭＤインフラストラクチャを含む。
【００１３】
サブシステムは、Ｐ−ＣＳＣＦをエミュレートするコンポーネントを含む。
【００１４】
通信セッションは、ＶｏＩＰ電話セッションを含む。
【００１５】
公衆データネットワークは、公衆インターネットを含む。
【００１６】
公衆データネットワークは、無線ローカルエリアネットワークを含む。
【００１７】
サブシステムは、公衆データネットワークおよび電話制御ネットワークにおいて用いられる通信プロトコルの適合性を提供する。例えば、サブシステムは、ＩＥＴＦプロトコルとＩＭＳプロトコルとの間、例えば、ＩＥＴＦプロトコルとＩＭＳ  ＳＩＰプロトコルとの間との間に、適合性を提供する。
【００１８】
別の局面において、一般に、電話サービスを提供するための方法は、公衆データネットワーク上のデバイスに対し、電話ネットワークにおけるプレゼンスを維持することを含む。加入者に向けられたコールは、電話ネットワークを介し、公衆データネットワーク上のデバイスに送達される。
【００１９】
局面は、以下の１つ以上を含み得る。
【００２０】
電話ネットワークは、無線電話ネットワークを含む。
【００２１】
電話ネットワークは、パケット交換式制御インフラストラクチャを含む。
【００２２】
電話ネットワークは、ＩＰベースの制御インフラストラクチャを含む。
【００２３】
電話ネットワークは、ＩＭＳおよびＭＭＤインフラストラクチャを含む。
【００２４】
公衆データネットワークは、例えば公衆インターネットまたは無線ローカルエリアネットワークのような、パケット交換式ネットワークを含む。
【００２５】
別の局面において、一般に、通信するための方法は、例えばＶｏＩＰ接続のようなＩＰベースの接続を、ＩＭＳまたはＭＭＤフレームワークを介して、公衆データネットワーク上に存在する加入者のデバイスに提供することを含む。
【００２６】
方法は、ＩＭＳまたはＭＭＤフレームワークのエッジ機能をエミュレートすることを含み得る。例えば、Ｐ−ＣＳＣＦ機能が、エミュレートされる。
【００２７】
別の局面において、一般に、通信システムは、無線電話ネットワークにおけるコールのパケットベースの電話通信を可能にするサブシステムを含む。サブシステムは、回線ベースの電話接続を完成させるために用いられる、電話ネットワークのコンポーネントに対するインターフェースと、データネットワークベースのサービスを提供するために用いられる、電話ネットワークのコンポーネントに対するインターフェースと、公衆データネットワークに対するインターフェースとを含む。
【００２８】
別の局面において、一般に、通信するための方法は、データサービスを送達するように構成された電話ネットワークにおけるサービスを提供することを含む。サービスは、無線ネットワークにおけるエンドデバイスの第１のセットを決定することと、ワイヤラインネットワークにおけるエンドデバイスの第２のセットを決定することと、エンドデバイスの第１のセットとエンドデバイスの第２のセットとを関連付けることと、１つの関連するデバイスに対するコールを受信することと、コールをすべての関連するデバイスに通知することとを可能にする。電話ネットワークは、ＩＭＳまたはＭＭＤネットワークにおいてデータサービスを送達するように構成され得る。
【００２９】
局面は、以下の利点の１つ以上を有し得る。
【００３０】
公衆インターネット上のユーザエージェントをインプリメントするＳＩＰデバイスは、適合性を提供することによって要求されるＩＭＳ機能のすべて（例えば、ＩＭＳネットワークと公衆インターネットとの間をブリッジするＶｏＩＰプロキシＣＳＣＦ機能）をインプリメントすることなしに、ＩＭＳネットワークに参加し得る。
【００３１】
サービスの構成および供給は、加入者のサービスに関する情報が、ＨＬＲと加入者のデータベース（ネットワークゲートウェイに別々に供給されている）との間で分散されず、ＨＳＳに集中しているときに、容易になる。
【００３２】
その他の局面、特徴、および利点は、以下の詳細な記述および請求の範囲から、明らかになる。
【発明を実施するための最良の形態】
【００３３】
（詳細な記述）
図２を参照すると、第１の通信システム２００は、ボイス・オーバー・インターネットプロトコル（ＶｏＩＰ）サービスを、ＩＭＳネットワークの特定の機能を用いるデバイスに提供する。特に、システムは、加入者のセル式電話に関連する電話番号に向けられた電話コールの送達を可能にする機能をインプリメントするネットワークゲートウェイ２３０を含む。コールは、ＶｏＩＰコールに変換され、ブロードバンドのＩＰベースのデータネットワーク２２０を介して（例えば、公衆インターネットを介して、またはケーブルテレビジョンベースのＩＰネットワークのようなプライベートＩＰネットワークを介して）、加入者の電話２１０（例えば、電話がセル式の電話、またはＷｉＦｉ接続性を提供するデュアルモードの電話の場合）、またはＶｏＩＰ電話の機能を提供するその他のデバイス（例えば、ＩＰ電話２１２、ＩＰセントレックス２１４、等）に送達される。
【００３４】
一般に、コールは、加入者のＩＰデバイス２１０〜２１６がシステムに登録され、セル式システムのホームロケーション登録（ＨＬＲ）機能５１４（これは、ＩＭＳネットワークのＨＳＳ機能１５０に組み込まれている）が、加入者がブロードバンドネットワークにおいて登録されていることを通知する場合、ブロードバンドネットワーク２２０を介して送達される。例えば、公衆交換式電話ネットワーク（ＰＳＴＮ）から、セル式システムが加入者に対するコールを受信するとき、加入者のデバイスがブロードバンドネットワークを介して登録されるときに、制御情報は、ネットワークゲートウェイ２３０のＨＬＲとビジタロケーションレジスタ（ＶＬＲ）機能２３８との間をパスし、その結果、コールは、メディアゲートウェイ２６４における一時的な番号（ｔｅｍｐｏｒａｒｙ  ｎｕｍｂｅｒ）に向けられる。ソフトスイッチ２６２は、インバウンド（ｉｎｂｏｕｎｄ）コールに対する情報を受信し、メディアゲートウェイ２６４を制御し、セル式ブロードバンドアプリケーション２３２に、回路交換コールを、ＶｏＩＰコールとして、加入者のＶｏＩＰデバイスに向けるように通知する。ユーザの回路交換式電話ではなく（またはユーザの回路交換式電話に加えて）メディアゲートウェイにコールを向ける方法は、援用された出願である、米国特許出願第１１／１８３，５３４号、および国際出願ＰＣＴ／ＵＳ  ２００５／０２５３５３号に記載されている。
【００３５】
ネットワークゲートウェイ２３０は、セル式ブロードバンドアプリケーション２３２を含み、上記セル式ブロードバンドアプリケーションは、加入者のＩＰデバイスのアドレスに関する情報を含むＨＳＳ１５０において加入者データベースを用いるＳＩＰサーバ機能、およびその他の構成情報を含む。加入者のＩＰベースのデバイスの登録、許可、ルーティングポリシー等に関する情報は、ネットワークゲートウェイによって提供されるＶｏＩＰサービスに関連してＨＳＳに格納される。一般に、セル式電話ネットワークＨＬＲ機能それ自身は、そのような加入者情報をホストするのに十分に柔軟ではないが、ＨＳＳ機能は、アプリケーション特有の情報の追加的なソートを提供することに留意されたい。
【００３６】
ネットワークゲートウェイ２３０は、ＩＭＳコール状態制御機能（ＣＳＣＦ）２３４をインプリメントする。この機能は、ＩＭＳインターフェースをＨＳＳ１５０に提供する。ＣＳＣＦはまた、オプションとして、例えば、ユーザデバイスとＣＳＣＦ機能との間の交換ための、ＩＭＳに準拠した技術を用いることにより、ユーザデバイス２１０〜２１４の登録を扱う。ユーザデバイスがネットワークゲートウェイ２３０に登録するとき、ＣＳＣＦは、ＶＬＲ機能２３８をアップデートするアプリケーション２３２に、ＨＳＳ１５０において、次にどれがＨＬＲ１５４をアップデートするかを通知し、ユーザがブロードバンドドメインに存在することを示唆する。ＣＳＣＦ２３４はまた、ユーザの登録に関する追加的な情報を格納するために、そのような情報が標準的なＨＬＲ／ＶＬＲ技術を用いて表現可能でない場合、または容易に表現することができない場合に、ＨＳＳ１５０に直接的に通信し得る。
【００３７】
ネットワークゲートウェイ２３０はまた、例えば、ネットワークアドレストランスレイション（ＮＡＴ）トラバーサルコンポーネント２３６のような、ネットワークアクセスコンポーネントを含み得る。ユーザデバイスがプライベートローカルネットワーク（ネットワークアクセスの翻訳は、プライベートネットワークのエッジデバイスによって実行される）に存在する場合、ネットワークアクセスコンポーネントは、ブロードバンドネットワーク２２０を介したアクセスを提供し、任意の必要な処理を扱うことにより、アプリケーション２３２とユーザデバイス２１０〜２１４との間にデータパスを提供する。
【００３８】
アウトバウンド（ｏｕｔｂｏｕｎｄ）コールは、ユーザデバイスからアプリケーション２３２へとパスするＳＩＰベースの制御情報を用いることにより、同様に扱われる。その後、アプリケーションは、制御情報をソフトスイッチ２６２に送信し、次に、ソフトスイッチは、メディアゲートウェイ２６４を制御し、ＳＳ７ネットワーク１７２に制御情報を提供することにより、アウトバウンドコールを行なう。アプリケーション２３２は、ＮＡＴとラバーサルコンポーネント２２０を制御し、ＶｏＩＰコールをメディアゲートウェイ２６４に向ける。
【００３９】
ネットワークゲートウェイ２３０はまた、ＶｏＩＰネットワーク２８０をユーザデバイス２１０〜２１４と結びつける方法を提供する。例えば、アプリケーション２３２は、ＳＩＰ要求を受信し、ユーザデバイスとのセッションを確立し、ＶｏＩＰネットワーク２８０からＮＡＴトラバーサルコンポーネント２３６へのセッションに対するデータパスを設定することができる。同様に、アプリケーション２３２は、ＶｏＩＰネットワークに対するＳＩＰセッション（ユーザデバイスによって開始される）を確立することができる。ＶｏＩＰネットワークは、多数のＳＩＰサーバとＳＩＰエンドポイントとを含み得、それらは、公衆インターネットに存在するか、または代替的に、ＳＩＰが用いられるプライベートネットワークに存在し得る。
【００４０】
図２に示されているシステムの変形は、ユーザデバイスが、ネットワークゲートウェイ２３０のＣＳＣＦ２３４のＳ−ＣＳＣＦ機能を介してアクセスサービス１４０（図１参照）にアクセスすることを可能にする。このバージョンのシステムにおいて、Ｐ−ＣＳＣＦ、Ｉ−ＣＳＣＦおよびＳ−ＣＳＣＦの機能は、ゲートウェイ２３０において統合されたままであり、これは、ＶｏＩＰベースのサービスを加入者のＩＰデバイスに提供する。ＩＭＳサービスは、Ｓ−ＣＳＣＦ機能にアクセスし、例えば、加入者のデバイスへの接続を確立する。Ｓ−ＣＳＣＦ機能はまた、ＨＳＳへのアクセスを提供し、これは、既に記述されたバージョンのシステムにおける情報として、加入者の情報を保持する。
【００４１】
図２に示されているシステムの別の変形は、メディアゲートウェイ２６４およびソフトスイッチ２６２の代わりに（またはそれらに加えて）、ＣＳインターワーキング機能１６０（図１参照）を用いる。ＣＳインターワーキング機能１６０は、ＩＭＳ  ＣＳインターワーキングコンポーネントを介して受信するコールを確立するために、制御情報を、ネットワークゲートウェイ２３０のＣＳＣＦ  ２３４のＳ−ＣＳＣＦ機能と交換する。システムのバージョンは、本実施形態の一部分ならびに上述の実施形態を含み、その結果、標準的なＩＭＳ  ＣＳインターネットワーキングコンポーネント１６０を介して、ならびにネットワークゲートウェイ２３０に専用のメディアゲートウェイ２６４を介して、コールが確立され得る。
【００４２】
図３を参照すると、第２の通信システムにおいて、図２に示されているネットワークゲートウェイ２３０の能力は、ＩＭＳサービス３４０におけるアプリケーション３２０とコンポーネント３１０（ＩＭＳ  ＩＰおよびＳＩＰベースのネットワークとブロードバンドネットワーク２２０との間をブリッジし、これもまた、ＩＰおよびＳＩＰを用いる）との間に分配される。アプリケーション３２０は、ＶＬＲの機能と、ネットワーキングゲートウェイの機能を提供するために必要なコール制御コンポーネントとを提供する。
【００４３】
加入者のセル式デバイス１１０が、セル式データアクセスネットワーク１２０に関連するＰ−ＣＳＣＦ  １３６に登録するとき、Ｐ−ＣＳＣＦは、従来のＩＭＳベースのアプローチを用いることにより、Ｉ−ＣＳＣＦ  １３４およびＳ−ＣＳＣＦ  １３２と通信する。Ｓ−ＣＳＣＦは、Ｐ−ＣＳＣＦの識別を用い、これを介して、加入者は、ネットワークにアクセスし、ＨＳＳ  １５０に格納されているものとして、加入者に利用可能なサービスを決定する。例えば、ＶｏＩＰコールの終了（ｔｅｒｍｉｎａｔｉｏｎ）は、加入者には利用可能ではないが、ＩＰベースのプッシュ・トゥ・トーク、ビデオストリーミング等のＩＰサービスは、アプリケーション１４２を介して、ユーザに利用可能であり得る。
【００４４】
例えば、加入者が、自宅または自身のオフィスに到着し、ブロードバンドネットワークに結合されたＷｉＦｉネットワーク上にプレゼンスを確立することにより、加入者が、ブロードバンドネットワーク２２０に参加するとき、加入者のＩＰデバイスは、ＩＭＳネットワーク上にプレゼンスを確立することができ、プレゼンス機能３２６は、ＩＭＳサービス３４０のアプリケーション３２０に統合され得る。モバイル  ＶｏＩＰ  Ｐ−ＣＳＣＦ（ＭＶ−Ｐ−ＣＳＣＦ）３１６コンポーネントは、ブロードバンドネットワーク（例えば、公衆インターネット）に対し、加入者のＩＰデバイス２１０〜２１４（例えば、ＩＥＴＦに準拠したＳＩＰフォン、「ソフトフォン」等）を結合させ、上記ブロードバンドネットワークを、ＩＭＳ  ＩＰベースの制御ネットワークに結合させる。これもまた、標準的なＳ−ＣＳＣＦ機能およびＩ−ＣＳＣＦ機能をホストする。すなわち、ＭＶ−Ｐ−ＣＳＣＦ  ３１６は、ＩＭＳ  ＩＰ制御プロトコルにしたがって、ＩＭＳネットワークに参加する。ＭＶ−Ｐ−ＣＳＣＦ  ３１６は、Ｐ−ＣＳＣＦ  １３６へのピア（ｐｅｅｒ  ｔｏ  ｔｈｅ  Ｐ−ＣＳＣＦ  １３６）として機能し、これを介し、加入者のセル式電話は、ＩＭＳシステムにアクセスする。加入者のＩＰデバイスの登録、およびＭＶ−Ｐ−ＣＳＣＦを介したその他の要求サービスは、セル式デバイスのアクセスサービス（すなわち、ＨＳＳ  １５０からの構成情報に基づいたＳ−ＣＳＣＦ  １３２を介したサービス）と実質的に同様である。加入者のＩＰデバイスが登録するとき、例えば、加入者のデュアルモードの電話が、ＭＶ−Ｐ−ＣＳＣＦ  ３１６に結合されたＷｉＦｉネットワーク上で検出されるとき、登録情報は、Ｓ−ＣＳＣＦ  １３２および／またはＩ−ＣＳＣＦ  １３４を介することにより、ＨＳＳ  １５０にパスされる。Ｐ−ＣＳＣＦ（この場合は、ＭＶ−Ｐ−ＣＳＣＦ）に基づいて、Ｓ−ＣＳＣＦは、サービス（例えば、加入者の公衆ネットワークの電話番号にコールがなされたときに、ＩＰデバイスに存在する加入者の公衆ネットワークのレジデントにコールが送達されることを可能にするモバイルＶｏＩＰサービス）にアクセスを提供し得る。モバイルＶｏＩＰアプリケーションサーバのコンポーネントは、加入者のセル式電話が別のＰ−ＣＳＣＦを介して同時に登録される場合に、ＩＰデバイスが電話ネットワークに登録することを防ぐように構成され得る。
【００４５】
上記で紹介されたように、コンポーネント３１０は、ＭＶ−Ｐ−ＣＳＣＦ  ３１６を含み、これは、制御（すなわち、ＳＩＰ）、およびＮＡＴトラバーサルコンポーネント２３６（これは、パケットボイスデータパス（すなわち、ＲＴＰ）に対するインターフェースを提供する）に対するインターフェースを提供する。制御パスに対し、ＭＶ−Ｐ−ＣＳＣＦ  ３１６は、オプションとして、ブロードバンド（公衆）ネットワーク上で用いられるＩＥＴＦ  ＳＩＰプロトコルと、ＩＭＳネットワーク内で用いられＳＩＰプロトコルとは幾分異なるＩＭＳ  ＳＩＰプロトコルとの間の適合性を提供する。例えば、この適合性は、加入者のＳＩＰデバイスがユーザエージェント（ＩＭＳ  ＳＩＰプロトコルによって要求される拡張をインプリメントしない）をインプリメントすることを可能にする。
【００４６】
コンポーネント３１０はまた、電話システムおよび公衆ブロードバンドネットワーク（ここに加入者のＩＰデバイスが存在する）のＶｏＩＰデータトラフィックに対するゲートウェイを提供する。このゲートウェイ機能および制御データ適合機能は、同じ物理デバイスまたは同じ地理的位置に存在するとは限らないことに留意されたい。
【００４７】
本システムの代替的なバージョンにおいて、メディアゲートウェイ１６４は、かならずしもＩＭＳアーキテクチャの標準的なコンポーネント１６０に統合されるとは限らない。例えば、図２に示されているように、専用のメディアゲートウェイ２６４およびソフトスイッチ２６２が、用いられ得る。
【００４８】
アプリケーション３２０はまた、インターワーキングコンポーネント３２４を含み、これは、その他のＶｏＩＰネットワーク２８０へのリンクを提供する。例えば、インターワーキングコンポーネントは、ＳＩＰサーバとして機能し、ユーザデバイス２１０〜２１４への接続セッションへの要求を受信し得る。登録情報に基づいて、アプリケーション３２０は、Ｓ−ＣＳＣＦ  １３２からと、ＨＳＳ  １５０から受信し、インターネットワーキングコンポーネントは、ＶｏＩＰネットワーク２８０からＮＡＴトラバーサルコンポーネント２３６へのデータパスを確立する。同様に、インターワーキングコンポーネント３２６は、ユーザデバイスから開始されるセッションを確立するために、ＳＩＰメッセージをユーザデバイスとＶｏＩＰネットワークとの間にパスする。
【００４９】
上記では、加入者のセル式電話の電話番号にコールが行なわれる場合のコールのコンテキストで主に記述されてきたが、加入者のＩＰデバイスにおけるコールの開始のような機能、ならびにブロードバンドＩＰドメインとセル式ドメインとの間のハンドオフは、上述の少なくとも一部のバージョンを含むシステムのバージョンによってサポートされ得る。例えば、ユーザのデュアルモードのハンドセットへの回路交換式コールとブロードバンドネットワークを介したハンドセットへのＩＰベースのコールとの間のハンドオフに対し、システムは、ユーザのデバイスとセル式システム（回路交換式コールを扱う）との間にＳＩＰセッションを確立し得る。その後、このコンポーネントは、回路パスとユーザのデバイスへのＶｏＩＰパスとの間のコールをハンドオフし得る。
【００５０】
一部の実施形態において、コンポーネント３１０およびアプリケーション３２０のコンポーネントは、単一のデバイスに統合され、かつ／または共通の位置でホストされる。別のインプリメンテーションにおいて、それらは分離的であり、異なるエンティティによって（例えば、一方は電話サービスプロバイダによって、他方はブロードバンドネットワーク（例えば、ケーブルＴＶ）によって）動作され得る。さらに一般に、上述された様々な機能およびコンポーネントは、必ずしも異なるデバイスまたはネットワーク上の異なる地理的位置でホストされる必要はなく、特定の位置またはコンポーネントは、分配され得る。
【００５１】
ＩＭＳネットワークで用いるための上述されたアプローチは、ＣＤＭＡネットワーク（ＭＭＤアーキテクチャをインプリメントする）のようなその他のネットワークアーキテクチャにおいても等しく適用可能である。
【００５２】
その他の実施形態は、以下の請求の範囲の範囲内にある。
【図面の簡単な説明】
【００５３】
【図１】図１は、ＩＰマルチメディアサブシステム（ＩＭＳ）ベースのシステムのブロック図である。
【図２】図２は、ブロードバンドネットワークを介してボイス・オーバーＩＰ（ＶｏＩＰ）通信をパスするためのネットワークゲートウェイを含む通信サブシステムのブロック図である。
【図３】図３は、ブロードバンドネットワークを介してＶｏＩＰ通信をパスするためにＩＭＳ機能を用いる通信システムのブロック図である。
【図１】
2008530859.tif 000003
【図２】
2008530859.tif 000004
【図３】
2008530859.tif 000005
【国際調査報告】
2008530859.tif 000006
2008530859.tif 000007
2008530859.tif 000008